(57)【要約】【課題】従来よりも高い収納利便性を持つ船舶の厨房レンジフード用フィルター装置の提供。【解決手段】板状に形成された２枚のフィルタープレート３を、枢結手段４によって、互いに回動して重なったり、展開したりすることができるように接続したことを特徴とする船舶の厨房レンジフード用フィルター装置を提供する。【選択図】図３
0003176155.tif 000002
【実用新案登録請求の範囲】
【請求項１】
板状に形成された２枚のフィルタープレートを、枢結手段によって、互いに回動して重なったり、展開したりすることができるように接続していることを特徴とする船舶の厨房レンジフード用フィルター装置。
【請求項２】
各前記フィルタープレートはいずれも、油煙などの通過を阻止するフィルターユニットと、前記フィルターユニットが固定されているフレームと、を備えており、
前記枢結手段は前記フレームに取り付けられていることを特徴とする請求項１に記載の船舶の厨房レンジフード用フィルター装置。
【請求項３】
前記フィルターユニットは複数の網状フィルターからなり、各網状フィルターは網目のサイズが異なるようになっており、互いに重なり合って油煙などの通過を阻止して濾過することを特徴とする請求項２に記載の船舶の厨房レンジフード用フィルター装置。
【請求項４】
前記フレームに複数の固定孔が形成されており、前記複数の固定孔それぞれを通過するボルトによって厨房レンジフードに固定できる請求項２または請求項３に記載の船舶の厨房レンジフード用フィルター装置。
【請求項５】
各前記フレームは、前記フィルターユニットが固定されている環状の枠体と、前記枠体の周縁から突出している複数の固定用タブとを有しており、前記複数の固定孔は、それぞれ前記固定用タブに形成されていることを特徴とする請求項４に記載の船舶の厨房レンジフード用フィルター装置。
【請求項６】
前記枢結手段として、複数の蝶番が用いられていることを特徴とする請求項１〜請求項５のいずれか一項に記載の船舶の厨房レンジフード用フィルター装置。
【請求項７】
請求項１〜請求項６のいずれか一項に記載の船舶の厨房レンジフード用フィルター装置を備えていることを特徴とする船舶の厨房レンジフード。
【考案の詳細な説明】
【技術分野】
【０００１】
本考案はレンジフード用フィルター装置に関し、特に、船舶の厨房レンジフード用フィルター装置に関する。
【背景技術】
【０００２】
船舶、特に大型客船の厨房レンジフードファンは、大人数に食事を提供するために大型なものが多く、そして稼働時間も長いので、油煙などの汚れを吸着するフィルターユニットに油汚れが溜まりやすい。また、船舶ではフィルターユニットを清掃する設備と人員がなく、更に海上での航行時間は少なくとも一週間以上、長ければ数ヶ月にも及ぶので、通常では、予備のフィルター装置を幾つか用意しておき、寄港した際に一斉に入れ替える方法が採用されている。この方法では、使用前や使用後のフィルター装置を船舶に収納する必要があり、従って、通常のレンジフードに用いられるフィルター装置に比べて、利用可能な空間が限られている船舶で使用されるフィルター装置は、収納性がより重要になっている。
【０００３】
船舶の厨房レンジフードに使用される従来のフィルター装置は、例えば特許文献１に記載されているものがある。該従来のフィルター装置は図１に示されているように、濾過網１１と、濾過網１１が固定されているフレーム１２とを備えており、フレーム１２はレンジフードに取り付けることができる構成になっている。また、図２では大型客船に使用される大型レンジフードに用いられるフィルター装置の構成が示されている。
【先行技術文献】
【特許文献】
【０００４】
【特許文献１】台湾特許第Ｍ３１４５８９号明細書
【考案の概要】
【考案が解決しようとする課題】
【０００５】
しかし、図１、図２に示されているように、船舶の厨房レンジフードに使用される従来のフィルター装置は収納の利便性に工夫が加えられていない。特に図２に示されているフィルター装置は船舶での限られた収納空間の浪費とすら言える。
【０００６】
従って、本考案では従来よりも高い収納利便性を持つ、船舶の厨房レンジフード用フィルター装置の提供を目的とする。
【課題を解決するための手段】
【０００７】
上記目的を達成すべく、本考案は、板状に形成された２枚のフィルタープレートを、枢結手段によって、互いに回動して重なったり、展開したりすることができるように接続したことを特徴とする船舶の厨房レンジフード用フィルター装置を提供する。
【考案の効果】
【０００８】
上記構成により、本考案の船舶の厨房レンジフード用フィルター装置は、枢結手段の設置により、２枚のフィルタープレートが重なって収納しやすい形状に変形することができるので、船舶での有限な収納空間に効率よく収納することができる。
【図面の簡単な説明】
【０００９】
【図１】船舶における従来の厨房レンジフード用フィルター装置の１つの構成例が示されている斜視図である。
【図２】船舶における従来の厨房レンジフード用フィルター装置のもう１つの構成例が示されている斜視図である。
【図３】本考案の第１の実施形態の斜視図である。
【図４】図３における破線ＩＶに示された箇所の断面図である。
【図５】本考案の第１の実施形態の収納状態が示されている斜視図である。
【図６】同実施形態に使用されるフィルターの構成例が示されている分解図である。
【図７】同実施形態に使用されるフィルターのもう１つの構成例が示されている分解図である。
【図８】本考案の第２の実施形態の斜視図である。
【図９】本考案の第３の実施形態の斜視図である。
【図１０】同第３の実施形態をレンジフードに設置した状態の断面図である
【図１１】本考案の第４の実施形態をレンジフードに設置した状態の断面図である。
【考案を実施するための形態】
【００１０】
以下では各図面を参照しながら、本考案のレンジフード用フィルター装置及び該レンジフード用フィルター装置を用いる方法について詳しく説明する。
【００１１】
図３〜図５には、本考案に係る船舶の厨房レンジフード用フィルター装置の第１の好ましい実施形態が示されている。図示されているように、板状に形成された２枚のフィルタープレート３と、枢結手段として該２枚のフィルタープレートを繋ぐ２枚の蝶番４とを備えている。
【００１２】
２枚のフィルタープレート３は、それぞれフレーム３２と、該フレーム３２に固定されているフィルターユニット３１とを備えている。２枚の蝶番４は、それぞれ２枚のフィルタープレート３を跨ぐように取り付けられている。
【００１３】
図４は図３に示されている船舶の厨房レンジフード用フィルター装置の断面図であり、図５は船舶の厨房レンジフード用フィルター装置の収納状態を示している。図示のように、２枚のフィルタープレート３は蝶番４により枢結され、図３、図４に示されるようにＬ字状に展開したり、互いに回動して図５に示されているように重なったりすることができる。なお、本実施形態においては蝶番４が２つ用いられているが、その数については特に制限されていない。
【００１４】
図６は本実施形態に使用されるフィルターユニット３１の分解図である。図示のように、フィルターユニット３１は油煙などの通過を阻止し濾過することができるように、互いに重なり合う３枚のフィルター３１１を有している。この実施形態において、各フィルター３１１はそれぞれ金属材料により作成された金属網であり、それぞれ複数の網目３１２が形成されている。そして３枚のフィルター３１１は油煙などを効率よく濾過するために、それぞれが有する網目３１２のサイズが、重なる順番に沿って小さくなるように配置されている。ちなみにフィルター３１１の枚数についても特に制限されていない。
【００１５】
また、図７では本実施形態に使用されるフィルターユニット３１のもう一つの構成例が示されている。図示のように、３枚のフィルター３１１は、網目３１２のサイズが互いに異なっているだけでなく、網目配列の様態もそれぞれ異なっている。このような構成も、図６に示されている構成例と同等またはそれ以上の濾過効果を発揮することができる。
【００１６】
上記本考案の第１の実施形態は、枢結手段としての蝶番４を備えることにより、２枚のフィルタープレート３が互いに重なるように収納することができる上、取り付けや取り外しもすばやく行うことができるので、とても便利である。
【００１７】
図８は本考案の第２の実施形態を示している。この第２の実施形態は第１の実施形態に類似しているので、対応する箇所では第１の実施形態と同じ番号が付けられている。この第２の実施形態はフィルタープレート３を３枚有しており、同じく展開したり、折り重なるように収納したりすることができる。
【００１８】
図９及び図１０には、本考案の第３の実施形態が示されている。図９に示されているように、この第３の実施形態の構成は、第１の実施形態とほぼ同じであるが、各フィルタープレート３が有するフレーム３２に複数の固定孔３２１が形成されている点において異なっている。図１０に示されているように、複数のボルト７が固定孔３２１を貫穿しフレーム３２をレンジフード６に固定している。
【００１９】
このように、本考案の第３の実施形態の構成は、第１の実施形態と同等な効果を発揮し、また取り付けや取り外しを行う際はボルト７によってすばやく行うことができる。また、枢結手段としての蝶番４を備えることによって、２枚のフィルタープレート３が成す角度をレンジフード６のサイズに合わせて調整できるので、応用範囲は従来よりも広くなっている。
【００２０】
図１１では本考案の第４の実施形態が示されている。この第４の実施形態の構成も第１や第３の実施形態とほぼ同じになっているが、フレーム３２に複数のタブ５が突出するように固定されている点で異なっている。各タブ５はそれぞれフレーム３２に溶接されている第一接続部分５１と、フレーム３２の周縁から突出している第二接続部分５２とを有し、第二接続部分５２にはねじ穴が形成されている。第二接続部分５２のねじ穴を挿通するボルト７１によって、レンジフードの排気装置６に固定することができる。更に、この実施形態に対して使用されるボルト７１は、指でひねりやすい形状に形成されたヘッド７２を有しているので、取り付けや取り外しは更に簡単になっている。
【産業上の利用可能性】
【００２１】
上記構成により、本考案の船舶の厨房レンジフード用フィルター装置は、枢結手段の設置により２枚のフィルタープレートが重なって、収納しやすい形状に変形することが可能であり、船舶での有限な収納空間に効率よく収納することができるので、収納空間が限られている各種の船舶の厨房レンジフードに用いることができる。
【符号の説明】
【００２２】
１１  濾過網
１２  フレーム
３  フィルタープレート
３１  フィルターユニット
３１１  フィルター
３１２  網目
３２  フレーム
３２１  固定孔
４  蝶番
５  タブ
５１  第一接続部分
５２  第二接続部分
６  レンジフード
７  ボルト
７１  ボルト
７２  ヘッド
【図１】
0003176155.tif 000003
【図２】
0003176155.tif 000004
【図３】
0003176155.tif 000005
【図４】
0003176155.tif 000006
【図５】
0003176155.tif 000007
【図６】
0003176155.tif 000008
【図７】
0003176155.tif 000009
【図８】
0003176155.tif 000010
【図９】
0003176155.tif 000011
【図１０】
0003176155.tif 000012
【図１１】
0003176155.tif 000013